(57)【要約】【課題】有利または不利な状況が不特定期間継続するようにできる遊技球振分装置を提供し弾球遊技機の遊技性を向上させる。【解決手段】遊技領域に遊技球が流入するように配置されるスリ鉢形の皿１０に複数の流落口１２，１３，１４を形成し、該流落口のうちの少なくとも一つの特定流落口１２の下流に該特定流落口１２に入った遊技球Ｐの球重量によって他の一般流落口１３，１４に入った遊技球Ｐの流路を切り替える流路切替機構３０を設ける。【選択図】図１
2019150396.tif 000002
【特許請求の範囲】
【請求項１】
遊技領域に遊技球が流入するように配置されるスリ鉢形の皿に複数の流落口を形成し、該流落口のうちの少なくとも一つを特定流落口とし、該特定流落口の下流に遊技球の球重量によって他の一般流落口に入った遊技球の少なくとも一つの流路を切り替える流路切替機構が設けられていることを特徴とする遊技球振分装置。
【請求項２】
流入した遊技球がスリ鉢形の皿の上にて転動する状態、および、前記流路切替機構の流路切替状態が遊技者に視認可能に設けられていることを特徴とする請求項１に記載した遊技球振分装置。
【請求項３】
前記流路切替機構は、前記特定流落口に入った遊技球の球重量により回転する制動体と、前記一般流落口の直下に開閉可能に設けられた流路切替羽根とからなり、前記特定流落口に遊技球が入る度に前記制動体が所定角度ずつ回転し、前記流路切替羽根が該制動体の回転状態に従い開状態または閉状態になるものであることを特徴とする請求項１または２に記載した遊技球振分装置。
【発明の詳細な説明】
【技術分野】
【０００１】
本発明は、パチンコ遊技機，アレンジボール遊技機，雀球遊技機等のパチンコ球を遊技媒体とする遊技機において、遊技球が転動する遊技領域に設けられ、流入した遊技球を複数の通路に振り分ける遊技球振分装置に関するもので、特には、複数の流落口が形成されたスリ鉢形の皿に遊技球を流入させて遊技球を振り分ける装置に関するものである。
【背景技術】
【０００２】
パチンコ遊技機等の遊技板の遊技領域に設けられる遊技球振分装置は、流入した遊技球を複数の通路のうちのいずれかに誘導するものであり、液晶表示装置の表示と連動させることにより演出効果を増大させる遊技機も知られている。
下記特許文献１に示された遊技球振分装置は、クルーンと称されるスリ鉢状の皿が上下２段に配置され、該各皿の中央部には３つの流落口が形成されていて、上段のクルーンに流入した遊技球はその３つの流落口のうちの特定の流落口に入ると下段のクルーンに導かれ、さらにその遊技球が３つの流落口のうちの特定の流落口に入ると、特定遊技状態（確変遊技状態）に移行するように構成され、該各クルーンにおける遊技球の動きは遊技者が視認できるように構成されている。
【先行技術文献】
【特許文献】
【０００３】
【特許文献１】特開２００８−４５８号公報
【発明の概要】
【発明が解決しようとする課題】
【０００４】
ところで、特許文献１に示された遊技球振分装置は、上下の各クルーンにおいて特定の流落口に遊技球が入る確率は３分の１であるので、特定遊技状態になる確率は常に９分の１という一定の確率にしかならないものであった。このため、遊技中の状況変化が乏しく、面白味が少ないという問題がある。つまり、遊技者にとって有利性が増すとか、不利になるような状況もないので、遊技が単調になり易いという問題がある。
また、近時の弾球遊技機は、電子回路によって常に一定の確率で大当たりや確変等の遊技者にとって有利な状況が到来するように構成されているので、こうした構成もまた遊技を単調にする要因であった。
【課題を解決するための手段】
【０００５】
本発明に係る遊技球振分装置は上記問題点を解決しようとするもので、遊技領域に遊技球が流入するように配置されるスリ鉢形の皿に複数の流落口を形成し、該流落口のうちの少なくとも一つを特定流落口とし、該特定流落口の下流に遊技球の球重量によって他の一般流落口に入った遊技球の少なくとも一つの流路を切り替える流路切替機構が設けられていることを特徴とする。
このため、遊技球が特定流落口に入らない限り、一般流落口に入った遊技球の流路は変わることはなく、遊技者にとって有利な状況または不利な状況が継続し、遊技状況が変化に富んだものになる。
【０００６】
本発明は上記遊技球振分装置において、流入した遊技球がスリ鉢形の皿の上にて転動する状態、および、前記流路切替機構の流路切替状態が遊技者に視認可能に設けられていることを特徴とする。
遊技者が現況の流路切替状態を常に認識して遊技できるとともに、その遊技者はスリ鉢形の皿の上で遊技球が転動する状況を一層興味深く見られるようになり、遊技性が向上する。
【０００７】
本発明は上記遊技球振分装置において、前記流路切替機構は、前記特定流落口に入った遊技球の球重量により回転する制動体と、前記一般流落口の直下に開閉可能に設けられた流路切替羽根とからなり、前記特定流落口に遊技球が入る度に前記制動体が所定角度ずつ回転し、前記流路切替羽根が該制動体の回転状態に従い開状態または閉状態になるものであることを特徴とする。
流路切替羽根が開状態であるか閉状態であるかによって、遊技者にとって有利な状況であるのか不利な状況であるのかが容易に判るようになるとともに、特定流落口に遊技球が入ることによりその状況が確実に切り替わるようになる。
【発明の効果】
【０００８】
電子回路や電気的駆動源を用いることなく、機械的構成により弾球遊技機の遊技性を向上させ、遊技者にとって真に面白い遊技機を提供できる。
【図面の簡単な説明】
【０００９】
【図１】本発明に係る遊技球振分装置を前方から見た斜視図。
【図２】本発明に係る遊技球振分装置の平面図。
【図３】本発明に係る遊技球振分装置を前方から見た斜視図。
【図４】本発明に係る遊技球振分装置を後方から見た斜視図。
【図５】本発明に係る遊技球振分装置を前方から見た分解斜視図。
【図６】本発明に係る遊技球振分装置を後側下方から見た分解斜視図。
【図７】本発明に係る遊技球振分装置の流路切替機構の分解斜視図。
【図８】本発明に係る遊技球振分装置の流路切替機構の横断面図。
【図９】本発明に係る遊技球振分装置の作動状態を示す正面図。
【図１０】図９の遊技球振分装置のＡ−Ａ線断面図。
【図１１】本発明に係る遊技球振分装置の作動状態を示す縦断面図。
【図１２】本発明に係る遊技球振分装置の流路切替機構の作動状態を示す斜視図。
【図１３】本発明に係る遊技球振分装置の作動状態を示す縦断面図。
【図１４】本発明に係る遊技球振分装置の作動状態を示す正面図。
【図１５】本発明に係る遊技球振分装置の流路切替機構の作動状態を示す斜視図。
【発明を実施するための形態】
【００１０】
この実施形態に示す遊技球振分装置は、クルーンと称されるスリ鉢形の皿１０と、該皿１０を水平に支持するケース体２０と、該ケース体２０内に設けられる流路切替機構３０（図１２，図１５）とからなる。皿１０は、平面略円形で、その外周部に接線方向に連なる流入路１１が一体に形成され、該皿１０の中央部にそれぞれ遊技球が流落し得る大きさの３つの流落口１２，１３，１４が形成され、そのうちの流落口１２は特定流落口、流落口１３，１４は一般流落口となる。なお、該皿１０の両側下縁に前記ケース体２０に対しビス１５によって固定するために取付縁１６が形成されている。なお、前記流入路１１から皿１０内に流入した遊技球の状況は遊技中の遊技者が常に視認できるように配置される。
【００１１】
また、前記ケース体２０は、ケース本体２１と、該ケース本体２１の前面にビス２２により固着される表板２３と、該ケース本体２１の裏面にビス２４により固着される裏板２５とからなる。ケース本体２１は図７，図８にも示すように内部を前後に仕切る隔壁２６が形成され、該隔壁２６の前面に中央排出樋２７を形成している。該隔壁２６の左右対称には真鍮製の支軸２８ａ，２８ｂを貫挿するための軸受孔２９ａ，２９ｂが形成され、さらに該各軸受孔２９ａ，２９ｂを曲率中心とする円弧状の透孔３０ａ，３０ｂが形状され、該透孔３０ａ，３０ｂに真鍮製の連結軸３１ａ，３１ｂを貫挿し得るようにしている。また、該ケース本体２１の上面の前半部は前記一般流落口１３，１４へ落下した遊技球が入るように左右に大きい開口３２が形成され、該ケース本体２１の上面の後半部は前記特定流落口１２へ落下した遊技球が入る開口３３が形成されている。また、左右両側壁の前半部に球排出樋３４ａ，３４ｂをそれぞれ形成している。
【００１２】
そして、前記支軸２８ａおよび連結軸３１ａの前端部に流路切替羽根３５ａを係止し、前記支軸２８ｂおよび連結軸３１ｂの前端部に流路切替羽根３５ｂを係止するとともに、前記支軸２８ａおよび連結軸３１ａの後端部に切替作動片３６ａを係止し、前記支軸２８ｂおよび連結軸３１ｂの後端部に切替作動片３６ｂを係止する。このため一対の該流路切替羽根３５ａ，３５ｂは、それぞれ支軸２８ａ，２８ｂを支点とし円弧状の前記透孔３０ａ，３０ｂの範囲内にて回転自在に支持され、前記一般流落口１３，１４の直下、前記中央排出樋２７の真上にて開閉可能に配置される。即ち、一対の流路切替羽根３５ａ，３５ｂが、図３，図９，図１２に示したように八字状の形態になると遊技球が該流路切替羽根３５ａ，３５ｂの間に入ることは困難となって前記中央排出樋２７が閉じられる。一方、該流路切替羽根３５ａ，３５ｂが図１４，図１５に示したように外側に傾倒して間隔を広げるとその間に遊技球が落下可能となり前記中央排出樋２７が開かれる。なお、切替作動片３６ａ，３６ｂの下端部の相対する内面に凹窪状の当接部３６ａ′，３６ｂ′が形成される。
【００１３】
また、図５に示すように前記表板２３の上半部にケース本体２１内を透視し得るように透明板３７が嵌着され、該透明板３７を通して遊技中の遊技者は内部の流路切替羽根３５ａ，３５ｂの開閉状況を常に視認できる。また、該表板２３の下半部には前記中央排出樋２７を突出させる角孔３８および前記支軸２８ａ，２８ｂの前端部を軸支する軸受孔３９ａ，３９ｂが形成される。
【００１４】
また、前記裏板２５の中央部に前面が開口した角形の包囲室４０が形成され、該包囲室４０は底面４１が前方に向けて傾斜状に形成され、該包囲室４０内に普通のパチンコ球（直径１１ｍｍ）より少し小径の直径１０ｍｍ程度の鋼球からなる重り球４２が転動可能に配設される。該包囲室４０の上部両側には前記支軸２８ａ，２８ｂの後端部を軸支する軸受孔４３ａ，４３ｂが形成される。さらに該包囲室４０の両側に水平方向に延びる軸受部４４ａ，４４ｂが形成され、該軸受部４４ａ，４４ｂに制動体４５の回転軸４６が回転自在に貫挿され該回転軸４６の両端がＥリング４７ａ，４７ｂにより止着される。図１１に示されるように該制動体４５は、周囲に突状部４８ａと切欠部４９ａと突状部４８ｂと切欠部４９ｂとが９０度間隔にて形成され、図１０にも示されるように軸方向から見て略分銅形を呈する。なお、該突状部４８ａ，４８ｂの外周面は遊技球が受けられるように中央に凹部４８ａ′，４８ｂ′が形成されている。該制動体４５は、前記開口３３の直下に配置され、特定流落口１２へ落下した遊技球が該制動体４５の凹部４８ａ′，４８ｂ′または切欠部４９ａ，４９ｂに当たると該遊技球の自重により該制動体４５を矢印の方向に回転させ、該遊技球は該制動体４５の下方に形成された排出路５０より外部に排出される。
【００１５】
なお、前記重り球４２は、底面４１が傾斜しているので自重により常に制動体４５に接近し圧接する。このため、特定流落口１２から落下した遊技球が該制動体４５を９０度回転させたところで、該重り球４２が切欠部４９ａ，４９ｂまたは前記凹部４８ａ′，４８ｂ′に介入し、制動体４５を９０度以上無用に回転することがないようにする。即ち、特定流落口１２から遊技球が落下する度に制動体４５は確実に９０度づつ回転し、流路切替羽根３５ａ，３５ｂが閉状態にあったときは開状態にし、開状態にあったとき閉状態にする。
前記流路切替羽根３５ａ，３５ｂおよび切替作動片３６ａ，３６ｂは、支軸２８ａ，２８ｂの内側よりも外側が大きく形成され、該支軸２８ａ，２８ｂの外側に真鍮製で比較的重い連結軸３１ａ，３１ｂを配置したことで該流路切替羽根３５ａ，３５ｂを該支軸２８ａ，２８ｂの外側に向けて透孔３０ａ，３０ｂの範囲内で傾倒させ、常には自重で開状態となる構成としている。なお、この開状態においては切替作動片３６ａ，３６ｂの支軸２８ａ，２８ｂより下方部が互いに接近した状態にある。この開状態のとき特定流落口１２から遊技球Ｐが落下すると該遊技球Ｐは該切替作動片３６ａ，３６ｂの下方部の間を落下し該下方部の間隔を球重量によって広げ、該流路切替羽根３５ａ，３５ｂを閉方向に回動させ、この状態から該遊技球Ｐは更に落下して制動体４５に衝突し該制動体４５を９０度回転させ、該制動体４５の突状部４８ａまたは突状部４８ｂが切替作動片３６ａ，３６ｂ下端の当接部３６ａ′，３６ｂ′間に介入して停止することで、該流路切替羽根３５ａ，３５ｂを上記のように八字状の閉状態にする。即ち、この流路切替機構３０は閉状態となる。（図１２参照）。
一方、このように流路切替機構３０が閉状態であるときに、特定流落口１２に遊技球Ｐが落下した場合は、該遊技球Ｐは流路切替羽根３５ａ，３５ｂおよび切替作動片３６ａ，３６ｂに特に作用することなく該切替作動片３６ａ，３６ｂの下端部間を落下し制動体４５に衝突して該制動体４５を更に９０度回転させる。このように制動体４５が更に９０度回転すると、該制動体４５の切欠部４９ａ，４９ｂが切替作動片３６ａ，３６ｂの下端部に相対するようになり、該制動体４５の突状部４８ａまたは突状部４８ｂは当接部３６ａ′，３６ｂ′間から拔脱するので、流路切替羽根３５ａ，３５ｂは該制動体４５に拘束されることなく自重で再び支軸２８ａ，２８ｂの外側に向けて傾倒し開状態となる。即ち、この流路切替機構３０は開状態となる。（図１５参照）。
【００１６】
この遊技球振分装置では、流入路１１から流入した遊技球は、遠心力の作用で皿１０上にて数秒間乃至数十秒間回転し続け、該遊技球がやがては３つの流落口１２，１３，１４のいずれかに入るのかを楽しみながら観察することができる。このとき例えば流路切替羽根３５ａ，３５ｂが閉状態であると、流落口１３または流落口１４等の一般流落口に入った遊技球Ｐは常に球排出樋３４ａ，３４ｂに導かれ、ケース体２０の左右いずれかの側方に排出される。（図９，図１０参照）。一方、図１３，図１４に示したように流路切替羽根３５ａ，３５ｂが開状態であると、流落口１３または流落口１４等の一般流落口に入った遊技球Ｐは中央排出樋２７に導かれケース体２０前方に排出される。ここで例えば中央排出樋２７から排出された遊技球Ｐが大当り等の特別遊技状態の抽選を始動させる始動入賞口に入賞し易いような配置に設定されておれば、流路切替羽根３５ａ，３５ｂが開状態であることは遊技者にとって非常に有利な状況である一方、流路切替羽根３５ａ，３５ｂが閉状態であるとこのような有利な状況でないこととなる。このような流路切替羽根３５ａ，３５ｂの状態は、前記透明板３７を通して視認できることから、遊技者は有利または不利といった現在の状況が常に分かる。
【００１７】
なお、流路切替羽根３５ａ，３５ｂが開状態のときに遊技球Ｐは該流路切替羽根３５ａ，３５ｂの間を通って中央排出樋２７に導かれる。この際、該流路切替羽根３５ａ，３５ｂの支軸２８ａ，２８ｂよりも下方部分が内方に向けて突出した形状に形成されているので、遊技球Ｐが該流路切替羽根３５ａ，３５ｂの間を通過する際に該遊技球Ｐは該流路切替羽根３５ａ，３５ｂの下方部分に当たる。このため、遊技球Ｐが該流路切替羽根３５ａ，３５ｂの間を通過する度に流路切替羽根３５ａ，３５ｂは開閉動する。このような動作は、該流路切替羽根３５ａ，３５ｂおよび切替作動片３６ａ，３６ｂの支軸２８ａ，２８ｂの内側よりも外側を大きく形成し、支軸２８ａ，２８ｂの外側に真鍮製で比較的重い連結軸３１ａ，３１ｂを連結し、該流路切替羽根３５ａ，３５ｂおよび切替作動片３６ａ，３６ｂの重心が支軸２８ａ，２８ｂの外側にあるようにすることで達成され、前記制動体４５の突状部４８ａ，４８ｂが切替作動片３６ａと切替作動片３６ｂとの間に介入していないときは、遊技球Ｐが通過してしまうと該流路切替羽根３５ａ，３５ｂは前記透孔３０ａ，３０ｂの範囲内で常に外側に傾倒して開動し、該流路切替羽根３５ａ，３５ｂの開状態が継続する。
【００１８】
上記のように遊技者にとって有利な状況または不利な状況は皿１０上で転動する遊技球が３つの流落口１２，１３，１４のうちの特定流落口１２に入るまで続く。即ち、特定流落口１２に遊技球が入ると、該遊技球Ｐは前記制動体４５を９０度回転させ、閉状態であった流路切替羽根３５ａ，３５ｂは開状態にし、開状態であった流路切替羽根３５ａ，３５ｂは閉状態にする。このため、流路切替羽根３５ａ，３５ｂが遊技者にとって有利な状況にあるときは、遊技者は遊技球が特定流落口１２になるべく入らないように願うのに対し、流路切替羽根３５ａ，３５ｂが遊技者にとって不利な状況にあるときは、遊技者は早く遊技球が特定流落口１２に入ることを願うようになる。このようにこの遊技球振分装置では、特定流落口１２に遊技球が入らない限り有利または不利な状況が変化しないので、有利な状況が長期間継続することもあれば、有利な状況が短期間で終わることもある。このため有利な状況または不利な状況が続く期間は常に不特定であり、そのために遊技性が増す。なお、皿１０上で転動する遊技球が複数の流落口１２，１３，１４のうちのどの流落口に入るかもまた偶然性に依存するので、遊技者にとって有利な状況が長期間続く場合や、遊技者にとって不利な状況となった場合でも運良く直ぐに遊技球が特定流落口１２に入り不利な状況を短時間で回避できる場合もある。このように、この遊技球振分装置を設けることによっては、偶然性によって有利な状況または不利な状況が続く期間が決定されるので、弾球遊技機の趣向性を今までになく向上させることができ、従来の電子回路によって抽選が行われ常に一定の確率で有利または不利な状況となるもののような単調性が回避される。
【００１９】
またこの遊技球振分装置は、遊技球Ｐの自重により制動体４５の回転により流路切替羽根３５ａ，３５ｂを開閉させる構造であるので、モータやソレノイド等の電気的駆動源やその制御用電子回路等を設ける必要もなく簡単に構成し得る。ただし、モータやソレノイド等の電気的駆動源やその制御手段等を追加的に設けることによってはさらなる改良も可能となる。
【００２０】
なお、この遊技球振分装置では、前記中央排出樋２７から排出された遊技球Ｐが前述のように常に始動入賞口に入賞し易くなるように配置したが、本発明では必ずしもこのような配置にしなくてもよい。例えば、始動入賞口の替わりに遊技球Ｐが入球すると複数の賞球を獲得することができる入賞装置を前記中央排出樋２７の下方に入球し易く配置してもよく、或いは、中央排出樋２７，球排出樋３４ａ，３４ｂ，排出路５０等から排出された遊技球Ｐを遊技領域の特定の部位に戻すようにしても、入賞球として処理するようにしてもよい。要するに、振分後の遊技球をどのような扱いにするかは自由である。
またこの実施形態では、表板２３に透明板３７を設けて流路切替羽根３５ａ，３５ｂの状態を視認できるようにしたが、全体を透明または開口を設けて流路切替羽根３５ａ，３５ｂの状態を遊技者から視認できるようにしてもよい。さらに、この実施形態では、皿１０に３つの流落口１２，１３，１４を設けたが、要するに皿１０には特定流落口と一般流落口とを設ければよく、流落口の数は２つでも、或いは３つ以上にしてもよい。
【００２１】
なお、一般流落口１３，１４に入った遊技球Ｐの流路は、特定流落口１２に遊技球Ｐが落下することを契機として流路切替機構３０が作動することにより流下の状況が変化するが、全ての一般流落口の流下の状況が変化しなくてもよい。つまり、流路が切り替えられない一般流落口がある構成としてもよい。
また、前記制動体４５は、特定流落口１２から遊技球Ｐが落下する度に９０度ずつ回転し突状部４８ａ，４８ｂと切欠部４９ａ，４９ｂが順次移動することで、流路切替羽根３５ａ，３５ｂが開動と閉動を繰り返すが、この順番を制動体４５の外周に例えば９０度ずつ切欠部、突状部、突状部、突状部を形成するようにすれば、制動体４５を９０度ずつ回転させるにしても、特定流落口１２から４個の遊技球Ｐが落下しない限り流路切替羽根３５ａ，３５ｂが開状態にならないようになる。このように制動体４５における切欠部と突状部の配置を様々に組み合わせることにより、流路切替羽根３５ａ，３５ｂの開閉のタイミングは自由に設定することができる。また、制動体４５の回転角度も遊技球Ｐが落下する度に９０度ずつ回転するに限らず、９０度以下や９０度以上に設定してもよく、これによって流路切替羽根３５ａ，３５ｂの開閉動を所望に制御することができる。
【符号の説明】
【００２２】
１０…皿、    １１…流入路、    １２…特定流落口、    １３，１４…一般流落口、    １５…ビス、    １６…取付縁、    ２０…ケース体、    ２１…ケース本体、    ２２…ビス、    ２３…表板、    ２４…ビス、    ２５…裏板、    ２６…隔壁、    ２７…中央排出樋、    ２８ａ，２８ｂ…支軸、    ２９ａ，２９ｂ…軸受孔、    ３０…流路切替機構、    ３０ａ，３０ｂ…透孔、    ３１ａ，３１ｂ…連結軸、    ３２…開口、    ３３…開口、    ３４ａ，３４ｂ…球排出樋、    ３５ａ，３５ｂ…流路切替羽根、    ３６ａ，３６ｂ…切替作動片、    ３６ａ′，３６ｂ′…当接部、    ３７…透明板、    ３８…角孔、    ３９ａ，３９ｂ…軸受孔、    ４０…包囲室、    ４１…底面、    ４２…重り球、    ４３ａ，４３ｂ…軸受孔、    ４４ａ，４４ｂ…軸受部、    ４５…制動体、    ４６…回転軸、    ４７ａ，４７ｂ…Ｅリング、    ４８ａ，４８ｂ…突状部、    ４８ａ′，４８ｂ′…凹部、    ４９ａ，４９ｂ…切欠部、    ５０…排出路、    Ｐ…遊技球
【図１】
2019150396.tif 000003
【図２】
2019150396.tif 000004
【図３】
2019150396.tif 000005
【図４】
2019150396.tif 000006
【図５】
2019150396.tif 000007
【図６】
2019150396.tif 000008
【図７】
2019150396.tif 000009
【図８】
2019150396.tif 000010
【図９】
2019150396.tif 000011
【図１０】
2019150396.tif 000012
【図１１】
2019150396.tif 000013
【図１２】
2019150396.tif 000014
【図１３】
2019150396.tif 000015
【図１４】
2019150396.tif 000016
【図１５】
2019150396.tif 000017